(57)【要約】      （修正有）【課題】遮光を必要とする内容物の包装に適し内容物の周辺雰囲気にある酸素の程度を示す酸素インジケータの色相を外部から確認可能な酸素インジケータ付包装体を提供する。【解決手段】仕切り部５によって内容物２は内容物収容部３から酸素インジケータ設置部４に、また酸素インジケータ１は酸素インジケータ設置部４から内容物収納部３に移動しないが、内容物収容部３と酸素インジケータ設置部４のそれぞれの空間部に内在する気体は非仕切り部６を経由して相互に移動可能となっていて、遮光領域３１と光透過領域３２を有し遮光領域３１内に内容物２が収納され光透過領域３２に酸素インジケータ１が設置されている酸素インジケータ付包装体。【選択図】図１
2019014494.tif 000002
【特許請求の範囲】
【請求項１】
酸素インジケータが設置されていて所定の空間部を有する酸素インジケータ設置部と、内容物が収納されていて所定の空間部を有する内容物収納部とが隣接して包装部材により形成されていると共に、それらを連結する部分における包装部材の重ね合わせ部が非仕切り部を除いた仕切り部で接合され一体化されていて、この仕切り部によって内容物は内容物収容部から酸素インジケータ設置部に、また酸素インジケータは酸素インジケータ設置部から内容物収納部に移動しないが、内容物収容部と酸素インジケータ設置部のそれぞれの空間部に内在する気体は非仕切り部を経由して相互に移動可能となっていて、
遮光領域と光透過領域を有し遮光領域内に内容物が収納され光透過領域に酸素インジケータが設置されていることを特徴とする酸素インジケータ付包装体。
【請求項２】
前記包装部材は前記遮光領域では遮光層を有し前記光透過領域では遮光層がないことを特徴とする請求項１に記載の酸素インジケータ付包装体。
【請求項３】
前記遮光層は遮光インキ層であることを特徴とする請求項２に記載の酸素インジケータ付包装体。
【請求項４】
前記遮光層は金属蒸着層であることを特徴とする請求項２に記載の酸素インジケータ付包装体。
【発明の詳細な説明】
【技術分野】
【０００１】
本発明は、酸素インジケータ付包装体に関する。
【背景技術】
【０００２】
従来から、図８及び図９に示すように、酸素インジケータ１が設置されていて所定の空間部を有する酸素インジケータ設置部４と、内容物２が収納されていて所定の空間部を有する内容物収納部３とが隣接して包装部材１１、１２により形成されていると共に、それらを連結する部分における包装部材１１、１２の重ね合わせ部が非仕切り部６を除いた仕切り部５で接合され一体化されていて、この仕切り部５によって内容物２は内容物収容部３から酸素インジケータ設置部４に、また酸素インジケータ１は酸素インジケータ設置部４から内容物収納部３に移動しないが、内容物収容部３と酸素インジケータ設置部４のそれぞれの空間部に内在する気体は非仕切り部６を経由して相互に移動可能となっている酸素インジケータ付包装体が知られている（例えば特許文献１参照）。
【０００３】
一般に、酸素インジケータは、酸化還元色素と還元剤とを有し、周辺雰囲気に酸素が十分に存在すると、その酸素が還元剤の働きを抑制して酸化還元色素が酸化型構造をとって所定の色相を呈するが、酸素が周辺雰囲気に存在しないと、還元剤が働き、酸化還元色素は還元型構造となり別の色相を呈するものであって（例えば特許文献１及び２参照）、酸素インジケータ付包装体では、この包装体の外部から、酸素インジケータ設置部４に設置されている酸素インジケータ１の色相を確認して、内容物の周辺雰囲気にある酸素の程度を判断する必要があるために、包装部材１１、１２に、この包装体の外部から、この色相を確認できるものが用いられる。
【０００４】
このため、従来の酸素インジケータ付包装体は、遮光が必要な内容物の包装には適さないものであった。
【先行技術文献】
【特許文献】
【０００５】
【特許文献１】特許第５２００７２８号公報
【特許文献２】特開２００１−１９２５９２号公報
【発明の概要】
【発明が解決しようとする課題】
【０００６】
本発明は、このような事情を考慮してなされたもので、遮光を必要とする内容物の包装に適し内容物の周辺雰囲気にある酸素の程度を示す酸素インジケータの色相を外部から確認可能な酸素インジケータ付包装体を提供することを課題とする。
【課題を解決するための手段】
【０００７】
本発明において上記課題を解決するために、まず請求項１の発明では、
酸素インジケータが設置されていて所定の空間部を有する酸素インジケータ設置部と、内容物が収納されていて所定の空間部を有する内容物収納部とが隣接して包装部材により形成されていると共に、それらを連結する部分における包装部材の重ね合わせ部が非仕切り部を除いた仕切り部で接合され一体化されていて、この仕切り部によって内容物は内容物収容部から酸素インジケータ設置部に、また酸素インジケータは酸素インジケータ設置部から内容物収納部に移動しないが、内容物収容部と酸素インジケータ設置部のそれぞれ
の空間部に内在する気体は非仕切り部を経由して相互に移動可能となっていて、
遮光領域と光透過領域を有し遮光領域内に内容物が収納され光透過領域に酸素インジケータが設置されていることを特徴とする酸素インジケータ付包装体としたものである。
【０００８】
また、請求項２の発明では、
前記包装部材は前記遮光領域では遮光層を有し前記光透過領域では遮光層がないことを特徴とする請求項１に記載の酸素インジケータ付包装体としたものである。
【０００９】
また、請求項３の発明では、
前記遮光層は遮光インキ層であることを特徴とする請求項２に記載の酸素インジケータ付包装体としたものである。
【００１０】
また、請求項４の発明では、
前記遮光層は金属蒸着層であることを特徴とする請求項２に記載の酸素インジケータ付包装体としたものである。
【発明の効果】
【００１１】
請求項１の発明は、仕切り部によって内容物は内容物収容部から酸素インジケータ設置部に移動せず、遮光領域と光透過領域を有し遮光領域内に内容物が収納され光透過領域に酸素インジケータが設置されているので、遮光を必要とする内容物が光透過領域に移動することなく遮光領域内に留まるため、遮光を必要とする内容物の包装に適し、しかも、仕切り部によって酸素インジケータは酸素インジケータ設置部から内容物収納部に移動しないが、内容物収容部と酸素インジケータ設置部のそれぞれの空間部に内在する気体は非仕切り部を経由して相互に移動可能となっていて、遮光領域と光透過領域を有し遮光領域内に内容物が収納され光透過領域に酸素インジケータが設置されているので、酸素インジケータが遮光領域に移動することなく光透過領域に留まり、酸素インジケータの周辺雰囲気と内容物の周辺雰囲気とは通じているため、酸素インジケータの色相は内容物の周辺雰囲気にある酸素の程度を示し、酸素インジケータの色相を外部から確認可能であるという効果がある。
【００１２】
また、請求項２の発明は、上記請求項１の発明の効果に加えて、遮光領域とする領域に遮光層を設け、光透過領域とする領域に遮光層を設けないことで、遮光領域と光透過領域とを形成できるという効果がある。
【００１３】
また、請求項３の発明は、上記請求項２の発明の効果に加えて、遮光領域とする領域に遮光インキを印刷或いは塗布して遮光層を設け、光透過領域とする領域に遮光インキを印刷も塗布もしないことで遮光層を設けないことができるという効果がある。
【００１４】
また、請求項４の発明は、上記請求項２の発明の効果に加えて、パスター加工によって、光透過領域とする領域で金属蒸着層を除去して遮光層を設けず、遮光領域とする領域で金属蒸着層をそのままにして遮光層とすることができるという効果がある。
【００１５】
以上、本発明は、遮光を必要とする内容物の包装に適し内容物の周辺雰囲気にある酸素の程度を示す酸素インジケータの色相を外部から確認可能な酸素インジケータ付包装体を提供できるという効果がある。
【図面の簡単な説明】
【００１６】
【図１】本発明の第１実施形態の酸素インジケータ付包装体の平面図。
【図２】本発明の第２実施形態の酸素インジケータ付包装体の平面図。
【図３】本発明の第３実施形態の酸素インジケータ付包装体の平面図。
【図４】本発明の第４実施形態の酸素インジケータ付包装体の平面図。
【図５】本発明の第５実施形態の酸素インジケータ付包装体の平面図。
【図６】本発明の第３実施形態の酸素インジケータ付包装体用の遮光層を設けた遮光領域と遮光層を設けない光透過領域とを有するフィルムを示す図。
【図７】本発明の第３実施形態の酸素インジケータ付包装体用の包装袋の平面図。
【図８】従来の酸素インジケータ付包装体の平面図。
【図９】図９に示す従来の酸素インジケータ付包装体の断面図。
【発明を実施するための形態】
【００１７】
以下に、本発明の実施形態を説明する。
【００１８】
本発明は、図１〜図５に示すように、少なくとも透明バリアフィルムとシーラント層を有しシーラント層を最内層とする包装部材が、シーラント層同士を対向させて周縁部で重ね合わされ、ヒートシートされて、ボトムシール部２０、サイドシール部２１、サイドシール部２２、天シール部２３が形成され、
酸素インジケータ１が設置されていて所定の空間部を有する酸素インジケータ設置部４と、内容物２が収納されていて所定の空間部を有する内容物収納部３とが隣接して包装部材により形成されていると共に、それらを連結する部分における包装部材の重ね合わせ部が非仕切り部６を除いた仕切り部５で接合され一体化されていて、この仕切り部５によって内容物２は内容物収容部３から酸素インジケータ設置部４に、また酸素インジケータ１は酸素インジケータ設置部４から内容物収納部３に移動しないが、内容物収容部３と酸素インジケータ設置部４のそれぞれの空間部に内在する気体は非仕切り部６を経由して相互に移動可能となっていて、
遮光領域３１と光透過領域３２とを有し、遮光領域３１内に内容物２が収納され、光透過領域３２に酸素インジケータ１が設置され、
包装部材は、遮光領域３１では光を遮る遮光層も有して光を遮り、光透過領域３２では、そのような遮光層がなく光を透過する酸素インジケータ付包装体である。
【００１９】
また、仕切り部５は、内容物収納部３と酸素インジケータ設置部４とを連結する部分でシーラント層を対向させて重ね合わされている包装材料の一部をヒートシールで接合することによって形成されていても良い。
【００２０】
本発明の酸素インジケータ付包装体は、仕切り部５によって内容物２は内容物収容部３から酸素インジケータ設置部４に移動せず、遮光領域３１と光透過領域３２を有し遮光領域３１内に内容物２が収納され光透過領域３２に酸素インジケータ１が設置されているので、遮光を必要とする内容物２が光透過領域３２に移動することなく遮光領域３１内に留まるため、遮光を必要とする内容物２の包装に適し、しかも、仕切り部５によって酸素インジケータ１は酸素インジケータ設置部４から内容物収納部３に移動しないが、内容物収容部３と酸素インジケータ設置部４のそれぞれの空間部に内在する気体は非仕切り部６を経由して相互に移動可能となっていて、遮光領域３１と光透過領域３２を有し遮光領域３１内に内容物２が収納され光透過領域３２に酸素インジケータ１が設置されているので、酸素インジケータ１が遮光領域３１に移動することなく光透過領域３２に留まり、酸素インジケータ１の周辺雰囲気と内容物２の周辺雰囲気とは通じているため、酸素インジケータ１の色相は内容物２の周辺雰囲気にある酸素の程度を示し、酸素インジケータ１の色相を外部から確認可能であるという効果がある。
【００２１】
遮光領域３１の範囲は、内容物２を遮光し、酸素インジケータ１の色相が外部から確認できれば、特に限定されない。例えば、図１に示すように内容物収納部３、図２に示すように内容物２付近、図３に示すように酸素インジケータ１以外、図４に示すように内容物収納部３と仕切り部５、図５に示すように内容物収納部３の仕切り部５よりも内側の部分であっても良い。
【００２２】
酸素インジケータ１の色相を片面からのみ確認できれば良いのであれば、もう一方の片面は全て遮光領域であっても良い。
【００２３】
遮光層は、光を遮る層であれば、特に限定されない。例えば、透明バリアフィルムに遮光インキが印刷或いは塗布されて形成された遮光インキ層を遮光層としても良いし、透明バリアフィルムとシーラント層との間に、中間層として、透明な基材フィルムにアルミニウム等の金属が蒸着されて金属蒸着層が形成された金属蒸着フィルムを設けて、その金属蒸着層を遮光層としても良い。
【００２４】
遮光インキは、遮光性のあるインキであれば、特に限定されない。遮光インキは、遮光性が高い墨系の顔料を用いた墨インキが好ましく、このような墨系の顔料として、例えば、カーボンブラックが挙げられ、カーボンブラックを顔料として用いた墨インキには、例えば、東洋インキのリオアルファＳＲコンク９２墨などがある。
【００２５】
金属蒸着層は、透明な基材フィルムの全面に形成した後に、光透過領域とする領域で除去しても良い。
【００２６】
金属蒸着層の除去は、例えば、水酸化ナトリウム水溶液等のアルカリ溶液や硫酸等の強酸溶液を用いて露出している金属蒸着層を溶解除去した後、中和、水洗いを行うパスター加工を好適に利用できる。
【００２７】
遮光領域１３で、どの波長の光をどれくらいカットするかは、内容物２によって選択する。例えば、ビタミンは、紫外線（４００ｎｍ以下）、短波長可視光（４００〜５００ｎｍ）によって変質しやすく。油脂は、紫外線（４００ｎｍ以下）によって酸化しやすい。一般的に、波長２００〜８００ｎｍでの光線透過率が１５％以下が好ましい。
【００２８】
透明バリアフィルムは、水蒸気、酸素などのガス透過を防ぐ機能を備えた透明なフィルムであり、例えば、ポリエチレンテレフタレートフィルムに酸化アルミニウム或いは酸化珪素が蒸着されて酸化アルミニウム或いは酸化珪素蒸着層が形成された透明蒸着フィルムが挙げられ、このような透明蒸着フィルムの市販品としては、凸版印刷のＧＬ−ＰＥＴがある。凸版印刷のＧＬ−ＰＥＴでは、酸化アルミニウム或いは酸化珪素蒸着層に、さらに、透明なオーバーコート層が形成されている。
【００２９】
シーラント層は、透明で、熱により溶融、融接するものであれば特に限定するものではないが、熱可塑性ポリオレフィンが好ましい。例えば低密度ポリエチレン（ＬＤＰＥ）、中密度ポリエチレン（ＭＤＰＥ）、直鎖状低密度ポリエチレン（ＬＬＤＰＥ）、エチレン・酢酸ビニル共重合体樹脂などのエチレン系樹脂や、ホモポリプロピレン樹脂、プロピレン・エチレンランダム共重合体樹脂、プロピレン・エチレンブロック共重合体樹脂、プロピレン・α−オレフィン共重合体樹脂などのプロピレン系樹脂などが挙げられる。
【００３０】
金属蒸着フィルムとしては、例えば、ポリエチレンテレフタレートフィルムにアルミニウムが蒸着されてアルミニウム蒸着層が形成されたアルミニウム蒸着フィルムが挙げられ、このようなアルミニウム蒸着フィルムの市販品としては、東レのＶＭＰＥＴがある。
【００３１】
遮光層として遮光インキ層を用いる場合の包装部材の層構成は、例えば、外側から順に、遮光領域３１では、透明バリアフィルム／遮光インキ層／接着層／シーラント層であり、光透過領域３２では、透明バリアフィルム／接着層／シーラント層である。
【００３２】
このような、包装部材は、例えば、光透過領域３２とする領域を除いて、遮光領域３１とする領域において、透明バリアフィルムに遮光インキを印刷して遮光インキ層を設けて、遮光領域３１と光透過領域３２とを形成し、透明バリアフィルムの遮光インキ層を設けた側の面に、接着層を介して、シーラント層を積層することで作成される。
【００３３】
遮光層として金属蒸着層を用いる場合の包装部材の層構成は、例えば、外側から順に、遮光領域３１では、透明バリアフィルム／接着層／金属蒸着フィルムの金属蒸着層／金属蒸着フィルムの透明な基材フィルム／接着層／シーラント層であり、光透過領域３２では、透明バリアフィルム／接着層／金属蒸着フィルムの透明な基材フィルム／接着層／シーラント層である。
【００３４】
このような、包装部材は、例えば、金属蒸着フィルムの金属蒸着層を、遮光領域３１とする領域を除いて、光透過領域３２とする領域において、パスター加工により除去して、遮光領域３１と光透過領域３２とを形成し、金属蒸着フィルムの金属蒸着層側の面に、接着層を介して、透明バリアフィルムを積層し、金属蒸着フィルムの透明な基材フィルム側の面に、接着層を介して、シーラント層を積層することで作成される。
【００３５】
接着層は、例えば、ドライラミネート用接着剤からなる層であっても良い。
【００３６】
酸素インジケータ１は、例えば、酸化還元色素、還元剤、親水基と疎水基を合わせもつ樹脂からなる結合剤、及び溶媒を含む酸素インジケータ用インキ組成物を支持体に塗布して形成される。
【００３７】
酸化還元色素にはメチレンブルーの他、ニューメチレンブルー、ニュートラルレッド、インジゴカルミン、サフラニンＴ、フェノサフラニン、カプリブルー、ナイルブルー、ジフェニルアミン、キシレンシアノール、ニトロジフェニルアミン、フェロイン、Ｎ−フェニルアントラニル酸等が使用できる。
【００３８】
還元剤としては、アスコルビン酸の他にエリソルビン酸やその塩、アスコルビン酸塩、Ｄ−アラビノース、Ｄ−エリスロース、Ｄ−ガラクトース、Ｄ−キシロース、Ｄ−グルコース、Ｄ−マンノース、Ｄ−フラクトース、Ｄ−ラクトースなどの還元糖、第一スズ塩、第一鉄塩等の金属塩等が使用できる。
【００３９】
酸化還元色素の色相の変化で周辺雰囲気にある酸素の程度を検知するだけでなく、他の色の色素との混色による色相の変化で周辺雰囲気にある酸素の程度を検知することもできる。このような目的で、酸素インジケータ用インキ組成物には、着色剤を添加することができる。
【００４０】
添加する着色剤としては、例えば食用赤色２号（アマランス）、食用赤色３号（エリスロシン）、食用赤色４０号（アルラレッドＡＣ）、食用赤色１０２号（ニューコクシン）、食用赤色１０４号（フロキシン）、食用赤色１０６号（アシッドレッド）、及び天然系コチニール色素等の赤色着色剤、食用黄色４号（タートラジン）、食用黄色５号（サンセットイエローＦＣＦ）、及び天然系紅花黄色素等の黄色着色剤、食用青色１号（ブリリアントブルーＦＣＦ）、及び食用青色２号（インジゴカルミン）等の青色着色剤が挙げられる。
【００４１】
結合剤は、酸化還元色素、還元剤、着色剤を支持体上に固着するために用いられ、親水基と疎水基を合わせ持つ樹脂が好ましい。具体的にはポリビニルアセタール樹脂、メチルセルロース、エチルセルロース、親水基を導入したポリエステル樹脂等があげられるが、特にポリビニルアセタール樹脂が好ましい。
【００４２】
溶媒としては、酸化還元色素、還元剤、着色剤、特に結合剤を均一かつ安定に溶解または分散できる物が望ましい。具体的には芳香族炭化水素、脂肪族炭化水素、エステル類、アルコール類、水などが用いられる。
【００４３】
支持体は、酸素インジケータ用インキ組成物と反応せず、しかも酸化還元色素の呈色性を阻害しない物である事が望ましい。具体的には、紙、合成紙、不織布、または合成樹脂フィルム等が用いられる。
【００４４】
本発明の酸素インジケータ付包装体は、包装部材から、以下のようにして作成しても良い。
【００４５】
まず、本発明の酸素インジケータ付包装体は、包装部材のシーラント層同士を対向させて、周縁の底部、側部で重ね合わせ、ヒートシールして、ボトムシール部２０、サイドシール部２１、サイドシール部２２を形成すると同時に、内容物収納部３と酸素インジケータ設置部４とを連結する部分で重ね合わせ、非仕切り部６を除いてヒートシールして仕切り部５を形成し、内容物２を内容物収納部３に収納し、支持体に酸素インジケータ用インキ組成物を塗布して形成した酸素インジケータ１を酸素インジケータ設置部４に設置して、周縁の天部をヒートシールして、天シール部２３を形成して、本発明の酸素インジケータ付包装体を作成しても良い。
【００４６】
また、包装部材のシーラント層同士を対向させて、周縁の底部、側部で重ね合わせ、ヒートシールして、ボトムシール部２０、サイドシール部２１、サイドシール部２２を形成し、内容物２を内容物収納部３に収納した後、内容物収納部３と酸素インジケータ設置部４とを連結する部分で重ね合わせ、非仕切り部６を除いてヒートシールして仕切り部５を形成し、支持体に酸素インジケータ用インキ組成物を塗布して形成した酸素インジケータ１を酸素インジケータ設置部４に設置して、周縁の天部をヒートシールして、天シール部２３を形成して、本発明の酸素インジケータ付包装体を作成しても良い。
【００４７】
また、包装部材の光透過領域３２のシーラント層を支持体として酸素インジケータ用インキ組成物を塗布して酸素インジケータ１を形成し、包装部材の遮光領域３１に内容物２を包みながら、包装部材のシーラント層同士を対向させて、周縁部で重ね合わせ、ヒートシールして、ボトムシール部２０、サイドシール部２１、サイドシール部２２、天シール部２３を形成すると同時に、内容物収納部３と酸素インジケータ設置部４とを連結する部分で重ね合わせ、非仕切り部６を除いてヒートシールして仕切り部５を形成して、本発明の酸素インジケータ付包装体を作成しても良い。
【実施例】
【００４８】
以下に、本発明の実施例を説明する。
【００４９】
＜実施例１＞
透明バリアフィルムとして、厚さ１２μｍの上述のＧＬ−ＰＥＴを用意し、ＧＬ−ＰＥＴのオーバーコート層側の面に、図６に示すように、光透過領域３２とする領域を除いて、遮光領域３１とする領域において、墨インキを２度印刷して、遮光領域３１と光透過領域３２とを形成した。
【００５０】
また、シーラント層として、厚さ５０μｍのＬＬＤＰＥフィルムを用意し、片面にコロナ処理を行った。
【００５１】
次に、ＧＬ−ＰＥＴの印刷面とＬＬＤＰＥフィルムのコロナ処理面とをドライラミネート用接着剤で貼り合せて、遮光領域３１において、ＧＬ−ＰＥＴ／墨インキ層／ドライラミネート用接着剤層／ＬＬＤＰＥフィルム、光透過領域３２において、ＧＬ−ＰＥＴ／ドライラミネート用接着剤層／ＬＬＤＰＥフィルムの層構成からなる包装部材を作成した。
【００５２】
次に、図７に示すように、包装部材のＬＬＤＰＥフィルム同士を対向させて、周縁の底部、側部で重ね合わせ、ヒートシールして、ボトムシール部２０、サイドシール部２１、サイドシール部２２を形成すると同時に、内容物収納部３と酸素インジケータ設置部４とを連結する部分で重ね合わせ、非仕切り部６を除いてヒートシールして仕切り部５を形成し、酸素インジケータ設置部４と、内容物収納部３とを有する包装袋を作成した。
【００５３】
最後に、図３に示すように、内容物２を内容物収納部３に収納し、酸素インジケータ１を酸素インジケータ設置部４に設置して、周縁の天部をヒートシールして、天シール部２３を形成して、実施例１の酸素インジケータ付包装体を作成した。
【００５４】
＜実施例２＞
透明バリアフィルムとして、厚さ１２μｍの上述のＧＬ−ＰＥＴを用意し、ＧＬ−ＰＥＴのオーバーコート層側の面に、光透過領域とする領域を除いて、遮光領域とする領域において、絵柄を印刷した。
【００５５】
また、金属蒸着フィルムとして、厚さ１２μｍの上述のＶＭＰＥＴを用意し、このＶＭＰＥＴに対して、図６に示すように、ＶＭＰＥＴのアルミニウム蒸着層を、遮光領域３１とする領域を除いて、光透過領域３２とする領域において、パスター加工により除去して、遮光領域３１と光透過領域３２とを形成した。
【００５６】
また、シーラント層として、厚さ５０μｍのＬＬＤＰＥフィルムを用意し、片面にコロナ処理を行った。
【００５７】
次に、ＧＬ−ＰＥＴの印刷面とＶＭＰＥＴのアルミニウム蒸着面とを、印刷を施していない領域と金属蒸着層を除去した領域とが重なるように対抗させて、ＧＬ−ＰＥＴとＶＭＰＥＴとをドライラミネート用接着剤で貼り合せた。
【００５８】
次に、ＶＭＰＥＴのポリエチレンテレフタレートフィルムの面と、ＬＬＤＰＥフィルムのコロナ処理面とをドライラミネート用接着剤で貼り合せて、遮光領域３１において、ＧＬ−ＰＥＴ／印刷インキ層／ドライラミネート用接着剤層／ＶＭＰＥＴのアルミニウム蒸着層／ＶＭＰＥＴのポリエチレンテレフタレートフィルム／ドライラミネート用接着剤層／ＬＬＤＰＥフィルム、光透過領域３２において、ＧＬ−ＰＥＴ／ドライラミネート用接着剤層／ＶＭＰＥＴのポリエチレンテレフタレートフィルム／ドライラミネート用接着剤層／ＬＬＤＰＥフィルムの層構成からなる包装部材を作成した。
【００５９】
次に、図７に示すように、包装部材のＬＬＤＰＥフィルム同士を対向させて、周縁の底部、側部で重ね合わせ、ヒートシールして、ボトムシール部２０、サイドシール部２１、
サイドシール部２２を形成すると同時に、内容物収納部３と酸素インジケータ設置部４とを連結する部分で重ね合わせ、非仕切り部６を除いてヒートシールして仕切り部５を形成し、酸素インジケータ設置部４と、内容物収納部３とを有する包装袋を作成した。
【００６０】
最後に、図３に示すように、内容物２を内容物収納部３に収納し、酸素インジケータ１を酸素インジケータ設置部４に設置して、周縁の天部をヒートシールして、天シール部２３を形成して、実施例２の酸素インジケータ付包装体を作成した。
【符号の説明】
【００６１】
１…酸素インジケータ
２…内容物
３…内容物収納部
４…酸素インジケータ設置部
５…仕切り部（ヒートシール部）
６…非仕切り部
１０…酸素インジケータ付包装体
１１…包装部材
１２…包装部材
２０…ボトムシール部
２１…サイドシール部
２２…サイドシール部
２３…天シール部
３１…遮光領域
３２…光透過領域
【図１】
2019014494.tif 000003
【図２】
2019014494.tif 000004
【図３】
2019014494.tif 000005
【図４】
2019014494.tif 000006
【図５】
2019014494.tif 000007
【図６】
2019014494.tif 000008
【図７】
2019014494.tif 000009
【図８】
2019014494.tif 000010
【図９】
2019014494.tif 000011